(57)【要約】【目的】爪などに貼着する装飾用立体構造シールをその種類に応じた思い通りの形状に仕上げることのできる製造方法を提供する。【構成】離型シート１上に粘着剤を塗布して粘着層２１を形成する。その粘着層２１の周辺部で離型シート１上に発泡剤入り樹脂を塗布して発泡層２２を形成する。次に、粘着層２１および発泡層２２の上に樹脂を塗布して可撓性を有する非粘着層２３を形成する。その非粘着層２３上の部位に着色剤入り樹脂を塗布して着色層２４Ａ，２４Ｂを形成する。その後、発泡層２２を加熱発泡せしめることにより、該発泡層２２上における非粘着層２３を着色層２４Ａ側に曲げる。【選択図】図３
2006326183.tif 000002
【特許請求の範囲】
【請求項１】
離型シート上に粘着剤を塗布して粘着層を形成する工程と、その粘着層の周辺部で前記離型シート上に発泡剤入り樹脂を塗布して発泡層を形成する工程と、前記粘着層および発泡層の上に樹脂を塗布して可撓性を有する非粘着層を形成する工程と、前記発泡層を加熱発泡せしめて該発泡層上における非粘着層を前記離型シートから離間する方向に曲げる工程と、を有することを特徴とする装飾用立体構造シールの製造方法。
【請求項２】
離型シート上に粘着剤を塗布して粘着層を形成すると共に、その粘着層の周辺部で前記離型シート上に発泡剤入り樹脂を塗布して発泡層を形成し、次いで前記粘着層および発泡層の上に樹脂を塗布して可撓性を有する非粘着層を形成し、その非粘着層上の部位に着色剤入り樹脂を塗布して着色層を形成した後、前記発泡層を加熱発泡せしめることにより該発泡層上における非粘着層を着色層側に曲げることを特徴とする装飾用立体構造シールの製造方法。
【請求項３】
離型シート上に粘着剤を塗布して粘着層を形成すると共に、その粘着層の周辺部で前記離型シート上に発泡剤入り樹脂を塗布して第１の発泡層を形成し、次いで前記粘着層および第１の発泡層の上に樹脂を塗布して可撓性を有する非粘着層を形成し、その非粘着層上で前記第１の発泡層に対向する部分に発泡剤入り樹脂を塗布して第１の発泡層よりも発泡性が小さい第２の発泡層を形成し、その第２の発泡層上に着色剤入り樹脂を塗布して着色層を形成した後、前記第１の発泡層と第２の発泡層を加熱発泡せしめることにより、その両発泡層で挟まれた非粘着層を第２の発泡層側に曲げることを特徴とする装飾用立体構造シールの製造方法。
【請求項４】
離型シート上に粘着剤を塗布して粘着層を形成する工程と、その粘着層を覆うように樹脂を塗布して前記離型シート上に粘着層より大きな面積を有する可撓性の非粘着層を形成する工程と、その非粘着層上の周縁部位に発泡剤入り樹脂を塗布して発泡層を形成する工程と、その発泡層を加熱発泡せしめて非粘着層を変形させる工程と、を有することを特徴とする装飾用立体構造シールの製造方法。
【請求項５】
離型シート上に粘着剤を塗布して粘着層を形成すると共に、その粘着層を覆うように樹脂を塗布して前記離型シート上に粘着層より大きな面積を有する可撓性の非粘着層を形成し、次いでその非粘着層上の周縁部位に発泡剤入り樹脂を塗布して発泡層を形成し、その発泡層上に着色剤入り樹脂を塗布して着色層を形成した後、前記発泡層を加熱発泡せしめて非粘着層を変形させることを特徴とする装飾用立体構造シールの製造方法。
【発明の詳細な説明】
【技術分野】
【０００１】
本発明は、指の爪をはじめとする身体部位、着衣、又は携帯電話機などに貼着する装飾用のシールに係わり、特にその種のシールを立体構造とする製造方法に関する。
【背景技術】
【０００２】
従来、指や足の爪をはじめ、顔面、着衣、あるいは携帯電話機などの携帯物に装飾を施すことが一般に広く行われているが、係る装飾体として着脱の容易なシールが普及している。
【０００３】
しかし、その種のシールは絵柄を施した紙片の裏面に粘着層を形成しただけの代物で、立体感やボリューム感はなく、デザイン性に乏しいものであった。
【０００４】
そこで、立体感を有する本体層を含む装飾体を製造するため、離型シート上に粘着剤を捺染して粘着層を形成し、その上に発泡剤入り樹脂から成る本体層を捺染すると共に、その本体層を粘着層よりも大きな面積として、これを熱処理することにより粘着層からはみ出した部位を立体的に変形させるという方法が提案されている（例えば、特許文献１）。
【０００５】
【特許文献１】特開２００４−３２９５７８号公報
【発明の開示】
【発明が解決しようとする課題】
【０００６】
然しながら、特許文献１に開示される方法によれば、熱処理による本体層の発泡により全体的にボリューム感を付与することはできても、これを思い通りに変形させることはでいない。
【０００７】
この点、特許文献１には、熱処理工程によって粘着層からはみ出ている本体層の部位が反り返って花びらのようになる旨記載されているが、本体層は発泡剤入り樹脂にして粘着層上にそれより大きい面積をもって形成されるだけであるから、係る本体層を熱処理したとき、これが花びらの如く凹状に変形するとは限らない。
【０００８】
本発明は以上のような事情に鑑みて成されたものであり、その目的は装飾用立体構造シールをその種類に応じた思い通りの形状に仕上げることのできる製造方法を提供することにある。
【課題を解決するための手段】
【０００９】
本発明は上記目的を達成するため、離型シート上に粘着剤を塗布して粘着層を形成する工程と、その粘着層の周辺部で前記離型シート上に発泡剤入り樹脂を塗布して発泡層を形成する工程と、前記粘着層および発泡層の上に樹脂を塗布して可撓性を有する非粘着層を形成する工程と、前記発泡層を加熱発泡せしめて該発泡層上における非粘着層を前記離型シートから離間する方向に曲げる工程と、を有することを特徴とする。
【００１０】
又、離型シート上に粘着剤を塗布して粘着層を形成すると共に、その粘着層の周辺部で前記離型シート上に発泡剤入り樹脂を塗布して発泡層を形成し、次いで前記粘着層および発泡層の上に樹脂を塗布して可撓性を有する非粘着層を形成し、その非粘着層上の部位に着色剤入り樹脂を塗布して着色層を形成した後、前記発泡層を加熱発泡せしめることにより該発泡層上における非粘着層を着色層側に曲げることを特徴とする。
【００１１】
更に、離型シート上に粘着剤を塗布して粘着層を形成すると共に、その粘着層の周辺部で前記離型シート上に発泡剤入り樹脂を塗布して第１の発泡層を形成し、次いで前記粘着層および第１の発泡層の上に樹脂を塗布して可撓性を有する非粘着層を形成し、その非粘着層上で前記第１の発泡層に対向する部分に発泡剤入り樹脂を塗布して第１の発泡層よりも発泡性が小さい第２の発泡層を形成し、その第２の発泡層上に着色剤入り樹脂を塗布して着色層を形成した後、前記第１の発泡層と第２の発泡層を加熱発泡せしめることにより、その両発泡層で挟まれた非粘着層を第２の発泡層側に曲げることを特徴とする。
【００１２】
一方、他の方法として、離型シート上に粘着剤を塗布して粘着層を形成する工程と、その粘着層を覆うように樹脂を塗布して前記離型シート上に粘着層より大きな面積を有する可撓性の非粘着層を形成する工程と、その非粘着層上の周縁部位に発泡剤入り樹脂を塗布して発泡層を形成する工程と、その発泡層を加熱発泡せしめて非粘着層を変形させる工程と、を有することを特徴とする。
【００１３】
又、離型シート上に粘着剤を塗布して粘着層を形成すると共に、その粘着層を覆うように樹脂を塗布して前記離型シート上に粘着層より大きな面積を有する可撓性の非粘着層を形成し、次いでその非粘着層上の周縁部位に発泡剤入り樹脂を塗布して発泡層を形成し、その発泡層上に着色剤入り樹脂を塗布して着色層を形成した後、前記発泡層を加熱発泡せしめて非粘着層を変形させることを特徴とする。
【発明の効果】
【００１４】
本発明によれば、発泡層を加熱発泡せしめてこれに密着する非粘着層を曲げ変形させることから、ボリューム感があって装飾効果の高い立体構造シールを得ることができる。
【００１５】
特に、粘着層の周辺部で離型シート上に発泡層を形成すると共に、その粘着層および発泡層の上に可撓性の非粘着層を形成することにより、発泡層の加熱発泡によってその上の非粘着層を上向きに曲げることができる。
【００１６】
又、粘着層の周辺部で離型シート上に第１の発泡層を形成すると共に、その粘着層および第１の発泡層の上に可撓性の非粘着層を形成し、その非粘着層上で第１の発泡層に対向する部分に第１の発泡層よりも発泡性が小さい第２の発泡層を形成することにより、その両発泡層の加熱発泡によって、その相互間における非粘着層を第１の発泡層より発泡性の小さい第２の発泡層側に曲げることができ、しかも第１、第２の発泡層の発泡により全体のボリューム感が増幅されるという効果が得られる。
【００１７】
又、離型シート上に粘着層を覆う状態で該粘着層より大きな面積を有する可撓性の非粘着層を形成し、その非粘着層上の周縁部位に発泡層を形成することにより、発泡層の加熱発泡によってその下の非粘着層を下向きに曲げることができる。
【００１８】
つまり、本発明によれば、発泡層と非粘着層の相対的な位置関係により、非粘着層を思い通りの方向に確実に曲げることができ、以って非粘着層を含む全体の図柄に対応した高品位の立体構造シールを得ることができる。
【発明を実施するための最良の形態】
【００１９】
以下、図面に基づいて本発明を詳しく説明する。図１は本発明に係る装飾用立体構造シールの好適な態様を拡大して示した平面概略図である。図１において、１はポリエチレンをはじめとするプラスチックフィルムなどから成る離型シート（セパレータ）であり、その表面には花を模した装飾物本体２が設けられる。装飾物本体２は複数の層から成る積層体であり、その各層は図示せぬ個別のスクリーン型を用いて順次所定形状に形成される。
【００２０】
そして、係る装飾用立体構造シールによれば、使用に際して離型シート１から装飾物本体２を引き剥がし、その装飾物本体２を装飾対象（爪その他の身体部位、着衣、携帯電話機など）に貼着することができる。
【００２１】
尚、図１には離型シート１上に単一の装飾物本体２を設けた例を示しているが、爪などに貼着する小型の装飾物本体２では、同一の離型シート１上に同一もしくは形態の異なる装飾物本体２が多数設けられる。
【実施例１】
【００２２】
ここで、上記のような装飾用立体構造シールの製造方法を説明すれば、図２において、２１は粘着層であり、この粘着層２１は常温下で粘着性を有するアクリル樹脂やゴム系エラストマなどから成る粘着剤を離型シート１上に塗布して形成される。尚、その形成に用いるスクリーン型は、例えば図１に示される花柄の花心部分に対応して、平版に円形の開口を穿設したものとされる。
【００２３】
そして、粘着層２１の形成後には、その周辺部で離型シート１上に発泡剤入り樹脂を塗布して発泡層２２を形成する。係る発泡層２２の形成は、例えば図１に示される花柄の花弁部分に対応して平版にハート形の開口を放射状に穿設したスクリーン型を用い、これを離型シート１上に重ね、その開口部分に発泡剤入り樹脂を透過させることによって行われる。
【００２４】
又、発泡剤入り樹脂としては、炭酸水素ナトリウムやアンモニア水のように加熱によりガスを発生する発泡剤を熱可塑性の樹脂に混合したものが用いられる。尚、発泡層２２は形成時点において平面状の薄膜であり、これが後述する熱処理工程によって発泡（膨張）されるが、その発泡率は発泡剤の混合量により調整することができる。
【００２５】
次に、粘着層２１および発泡層２２の上には、透明な樹脂（本例においてウレタン樹脂とシリコン樹脂の共重合体）を塗布して可撓性を有する非粘着層２３（クリア層）を形成する。尚、係る非粘着層２３の形成には、例えば図１に示される花柄の全体形状に対応する開口を有するスクリーン型が用いられる。そして、非粘着層２３はこれを形成する樹脂材料の硬化により下層の粘着層２１および発泡層２２と強固に結合して一体化する。
【００２６】
又、非粘着層２３の形成後には、その上に着色剤入り樹脂を塗布して着色層２４Ａ，２４Ｂを形成する。着色剤入り樹脂は、アクリル樹脂やウレタン樹脂に着色剤（染料または顔料）を混合したもので、本例では着色層２４Ａと着色層２４Ｂに異色の樹脂が用いられ、それらが異なるスクリーン型により個別に形成される。特に、着色層２４Ａは、図１に示される花柄の花心部分に対応して平版に円形の開口を穿設したスクリーン型を用い、粘着層２１と対向する部分に形成される。一方、着色層２４Ｂは、図１に示される花柄の花弁部分に対応して平版にハート形の開口を放射状に穿設したスクリーン型を用い、発泡層２２と対向する部分に形成される。そして、それら着色層２４Ａ，２４Ｂもこれを形成する樹脂材料の硬化により非粘着層２３と結合、一体化する。
【００２７】
尚、着色層２４Ａ，２４Ｂ上には必要に応じてラメ入り樹脂もしくは透明樹脂を塗布してトップ層２５を形成するが、トップ層２５の形成工程は省略することができる。又、着色層２４Ａ，２４Ｂも必ずしも必要でなく、例えば非粘着層２３に着色樹脂を用いて着色層２４Ａ，２４Ｂを省略することができる。
【００２８】
ここで、上記のようにして離型シート１上に各層２１〜２５を形成して図２のような積層構造物を構成したら、その積層構造物を離型シート１に載せたまま加熱炉に導入するか、もしくはホットプレートによりプレスし、これによって発泡層２２を９５〜１４０℃で加熱発泡せしめる。
【００２９】
すると、その発泡層２２が密着する非粘着層２３の部位（図１に示される花柄の花弁部分）が、発泡層２２の膨張により図３に示す如く離型シート１から離間する方向（発泡層２２とは逆の面側であって着色層２４Ａ，２４Ｂの形成側）に曲げられ、これによって離型シート１上に立体的な装飾物本体２が出来上がる。
【００３０】
尚、本例において、非粘着層２３は、粘着層２１と発泡層２２との上方に連結的に形成されるため、粘着層２１上では変形せず、発泡層２２上の部位が持ち上げられて変形し、特にその周縁側がより大きく曲がるようになる。因みに、非粘着層２３の変形量は、発泡層２２の発泡率や非粘着層２３の厚さ及び材質などにより調整することができる。又、発泡層２２は非粘着層２３を所定の方向に曲げるよう機能するほか、その発泡により装飾物本体２のボリューム感が増幅されることになる。
【実施例２】
【００３１】
次に、本発明の変更例を説明する。図４および図５は、粘着層の周辺部ほか、その上方に発泡層を形成した例で、粘着層２１、発泡層２２Ａ（実施例１において発泡層２２）、及び非粘着層２３Ａ、２３Ｂ（実施例１において非粘着層２３）の形成工程は実施例１と同様とされる。但し、非粘着層２３Ａ，２３Ｂは、粘着層２１および発泡層２２Ａの上に個別に形成される。
【００３２】
ここで、非粘着層２３Ａ，２３Ｂの形成後、非粘着層２３Ａの上には発泡剤入り樹脂を塗布して発泡層２２Ｂを形成する。係る発泡層２２Ｂ、粘着層２１の形成に使用されるスクリーン型と同種のスクリーン型を用い、粘着層２１に対向して図１に示される花柄の花心部分に形成される。尚、この発泡層２２Ｂを形成する発泡剤入り樹脂も、炭酸水素ナトリウムやアンモニア水のように加熱によりガスを発生する発泡剤を熱可塑性の樹脂に混合したものが用いられる。
【００３３】
次に、発泡層２２Ｂの上に着色剤入り樹脂を塗布して着色層２４Ａを形成する一方、非粘着層２３Ｂの上にも着色剤入り樹脂を塗布して着色層２４Ｂを形成する。尚、着色層２４Ｂは発泡層２２Ｂの形成前に形成してもよいし、非粘着層２３Ｂに着色樹脂を用いて着色層２４Ｂを省略することもできる。
【００３４】
又、本例でも着色層２４Ａ，２４Ｂ上にはラメ入り樹脂もしくは透明樹脂を塗布してトップ層２５を形成するが、係るトップ層２５は図１に示される花柄の全体形状に対応する開口を有するスクリーン型を用いて着色層２４Ａ，２４Ｂ上に連続的に塗布されるのであり、これにより全体が一体的に連結される。
【００３５】
ここで、上記のようにして離型シート１上に各層２１〜２５を形成して図４のような積層構造物を構成したら、その積層構造物を離型シート１に載せたまま加熱炉に導入するか、もしくはホットプレートによりプレスし、これによって発泡層２２Ａ，２２Ｂを９５〜１４０℃で加熱発泡せしめる。
【００３６】
すると、発泡層２２Ａ上の非粘着層２３Ｂ（図１に示される花柄の花弁部分）が、発泡層２２Ａの膨張により図５に示す如く離型シート１から離間する方向（発泡層２２Ａとは逆の面側であって着色層２４Ａ，２４Ｂの形成側）に曲げられる。尚、本例ではトップ層２５により全体が一体に連結されるために、発泡層２２Ａの発泡時には非粘着層２３Ｂは周縁側が持ち上げられるようになる。一方、発泡層２２Ａの膨張によりその上方部が隆起し、これによって離型シート１上に立体的な装飾物本体２が出来上がる。尚、非粘着層２３Ｂの変形量は、発泡層２２Ａの発泡率などにより調整することができる。
【実施例３】
【００３７】
次に、図６および図７は、非粘着層の表裏両面に発泡層を形成した例で、粘着層２１、発泡層２２Ａ（実施例１において発泡層２２）、及び非粘着層２３の形成工程は実施例１と同様とされる。
【００３８】
ここで、非粘着層２３の形成後には、その上に発泡剤入り樹脂を塗布して発泡層２２Ｂ，２２Ｃを形成する。本例において、発泡層２２Ｂは、粘着層２１の形成に使用されるスクリーン型と同種のスクリーン型を用い、粘着層２１に対向して図１に示される花柄の花心部分に形成される。又、発泡層２２Ｃ（第２の発泡層）は発泡層２２Ａ（第１の発泡層）の形成に使用されるスクリーン型と同種のスクリーン型を用い、発泡層２２Ａに対向して図１に示される花柄の花弁部分に形成される。
【００３９】
それら発泡層２２Ｂ，２２Ｃを形成する発泡剤入り樹脂も、炭酸水素ナトリウムやアンモニア水のように加熱によりガスを発生する発泡剤を熱可塑性の樹脂に混合したものが用いられるが、発泡層２２Ｃは発泡層２２Ａよりも発泡性が小さく設定される。これには、発泡層２２Ｃの厚さを発泡層２２Ａより薄くするか、あるいは発泡剤の混合比率を発泡層２２Ａより小さくする。
【００４０】
こうして非粘着層２３上に発泡層２２Ｂ，２２Ｃを形成したら、次に発泡層２２Ｂ，２２Ｃ上に着色剤入り樹脂を塗布して実施例１と同様に着色層２４Ａ，２４Ｂを形成する。
【００４１】
尚、着色層２４Ａ，２４Ｂ上には必要に応じてラメ入り樹脂もしくは透明樹脂を塗布してトップ層２５を形成するが、係るトップ層２５の形成工程は省略することができる。
【００４２】
ここで、上記のようにして離型シート１上に各層２１〜２５を形成して図６のような積層構造物を構成したら、その積層構造物を離型シート１に載せたまま加熱炉に導入するか、もしくはホットプレートによりプレスし、これによって発泡層２２Ａ〜２２Ｃを９５〜１４０℃で加熱発泡せしめる。
【００４３】
すると、発泡層２２Ａ，２２Ｃで挟まれる非粘着層２３の部位（図１に示される花柄の花弁部分）が、発泡層２２Ａ，２２Ｃの膨張により、図７に示す如く発泡層２２Ａよりも発泡性の小さい発泡層２２Ｃ側（離型シートから離間する方向）に曲げられ、これによって離型シート１上に立体的な装飾物本体２が出来上がる。
【００４４】
尚、発泡層２２Ａ，２２Ｃは非粘着層２３を所定の方向に曲げるよう機能するほか、各発泡層２２Ａ〜２２Ｃの発泡により、装飾物本体２のボリューム感が増幅されることになる。
【実施例４】
【００４５】
次に、図８および図９は、非粘着層の曲がり方向を実施例１〜３とは逆向きとする例を示す。本例において、離型シート１上には実施例１〜３と同じく粘着層２１が形成されるが、その形成後において離型シート１上には粘着層２１を覆うように透明な樹脂（例えばウレタン樹脂とシリコン樹脂の共重合体）を塗布して粘着層２１より大きな面積を有する可撓性の非粘着層２３（クリア層）を形成する。
【００４６】
本例の非粘着層２３も図１に示される花柄の全体形状に対応する開口を有するスクリーン型を用いて形成され、そして係る非粘着層２３はこれを形成する樹脂材料の硬化により下層の粘着層２１と強固に結合して一体化するが、離型シート１に対しては離型剤の作用により一体化しない。
【００４７】
ここで、非粘着層２３の形成後には、その上に発泡剤入り樹脂を塗布して発泡層２２を形成する。発泡層２２は、例えば図１に示される花柄の花弁部分に対応して平版にハート形の開口を放射状に穿設したスクリーン型を用い、非粘着層２３上の周縁部位（図１における花柄の花弁部分）に形成される。
【００４８】
そして、非粘着層２３上に発泡層２２を形成したら、次に発泡層２２上に着色剤入り樹脂を塗布して実施例１〜３と同様の着色層２４（実施例１〜３における着色層２４Ｂに相当）を形成し、その着色層２４上には必要に応じてラメ入り樹脂もしくは透明樹脂を塗布してトップ層２５を形成する。
【００４９】
尚、係るトップ層２６の形成工程は省略することができる。又、着色層２４も必ずしも必要でなく、例えば非粘着層２３や発泡層２２に着色樹脂を用いて着色層２５を省略することができる。
【００５０】
次に、上記のようにして離型シート１上に各層２１〜２５を形成して図８のような積層構造物を構成したら、その積層構造物を離型シート１に載せたまま加熱炉に導入するか、もしくはホットプレートによりプレスし、これによって発泡層２２を９５〜１４０℃で加熱発泡せしめる。
【００５１】
すると、その発泡層２２が密着する非粘着層２３の部位（図１に示される花柄の花弁部分）が、発泡層２２の膨張により図９に示す如く離型シート１側に湾曲して逆凹字形となり、これによって離型シート１上に立体的な装飾物本体２が出来上がる。
【００５２】
以上、本発明について説明したが、装飾物本体２は花を模したものに限らず、スクリーン型の変更により装飾物本体２を種々の形態にすることができる。
【図面の簡単な説明】
【００５３】
【図１】本発明に係る装飾用立体構造シールの構成例を示す平面概略図
【図２】本発明に係るシールの製造例を示す説明図
【図３】図２の積層構造物を熱処理した状態を示す説明図
【図４】本発明に係るシールの他の製造例を示す説明図
【図５】図４の積層構造物を熱処理した状態を示す説明図
【図６】本発明に係るシールの他の製造例を示す説明図
【図７】図６の積層構造物を熱処理した状態を示す説明図
【図８】本発明に係るシールの他の製造例を示す説明図
【図９】図８の積層構造物を熱処理した状態を示す説明図
【符号の説明】
【００５４】
１  離型シート
２  装飾物本体
２１  粘着層
２２，２２Ａ，２２Ｂ，２２Ｃ  発泡層
２３，２３Ａ，２３Ｂ  非粘着層
２４，２４Ａ，２４Ｂ  着色層
２５  トップ層
【図１】
2006326183.tif 000003
【図２】
2006326183.tif 000004
【図３】
2006326183.tif 000005
【図４】
2006326183.tif 000006
【図５】
2006326183.tif 000007
【図６】
2006326183.tif 000008
【図７】
2006326183.tif 000009
【図８】
2006326183.tif 000010
【図９】
2006326183.tif 000011